(57)【要約】【課題】本発明は噴水機能を持つ歯ブラシを開示した。【解決手段】ハンドルを含み、本装置は人の口腔に対し歯磨き、噴射と洗い流しなどを行え、伝統的な歯ブラシがデッドスペースを磨けない問題を克服し、同時に本装置は歯ブラシ自身が持つ水保存機能を通じて、コップを持ちうがいする操作をしないで済み、交換可能な磨きヘッドは更に人々の口腔健康を保護でき、本装置は機械の伝動係合を通じて、ミスが出る可能性を下げ、同時に一つのモーターで多機能を実現し装置のコストを下げ、エネルギーを節約する。【選択図】図１
2020179110.tif 000002
【特許請求の範囲】
【請求項１】
正面視で、ハンドルを含み、前記ハンドルの上端には歯ブラシロッドが設置され、前記歯ブラシロッドの上端にはヘッドが設置され、前記ハンドルの中には水箱が設置され、前記水箱の中には噴水装置が設置され、前記噴水装置は水ポンプと噴水器とを含み、前記噴水装置は人々の口腔のデッドスペースを噴水により磨き、また口腔内にある練り歯磨きを除去でき、前記水箱の左端壁には入水口が設置され、前記入水口と外部とが連通しており、前記水箱の上端壁には出水パイプが設置され、前記ハンドルの中にはロング水パイプも設置され、前記ロング水パイプと前記出水パイプとが連通しており、前記ロング水パイプの上端壁には噴水溝が設置され、前記噴水溝の右端壁には噴水口が設置され、前記水箱の上端には動力チャンバが設置され、前記動力チャンバの中には動力装置が設置され、前記動力装置はモーターを含み、前記動力装置が装置全体に動力を提供でき、前記動力チャンバの右端壁には連通溝が設置され、前記連通溝の右端壁には切換スライド溝が設置され、前記切換スライド溝の上端壁には切換溝が設置され、前記切換溝の上端壁にはロングスライド溝が設置され、前記ロングスライド溝の左端壁には前記噴水溝と連通している駆動チャンバが設置され、前記噴水溝の左端壁には傘歯車溝が設置され、前記傘歯車溝の中には歯磨き装置が設置され、前記歯磨き装置は磨きヘッドと刷毛とを含み、前記歯磨き装置が前記磨きヘッドと前記刷毛により歯をきれいにすることができることを特徴とする噴水機能を持つ歯ブラシ。
【請求項２】
前記動力装置はモーター軸を含み、前記モーター軸と前記動力チャンバの上下端壁とが回転できるように連結され、前記モーターが前記動力チャンバの下端壁に固定的に取り付けられ、前記モーターと前記モーター軸とが動力が伝達できるように連結され、前記モーター軸の左端面にはフェザーキーが設置され、前記フェザーキーと前記モーター軸とがモーター上歯車と下モーター歯車とスライドできるように連結され、前記モーター上歯車の下端面と前記下モーター歯車の上端面にそれぞれＴ型環状溝が対称的に設置され、前記モーターを始動し、それにより前記モーター軸、前記下モーター歯車、前記モーター上歯車を回転連動させ、その作用は、装置全体に動力を提供することであることを特徴とする請求項１に記載の噴水機能を持つ歯ブラシ。
【請求項３】
前記噴水装置は水くみ上げ管を含み、前記水くみ上げ管と前記水ポンプの下端面とが固定的に連結され、前記水ポンプが前記水箱の上端壁に固定的に取り付けられ、前記水ポンプの左端面と前記出水パイプとが連通しており、前記水ポンプの上端には連動軸が設置され、前記連動軸が前記水ポンプの動力軸であり、前記連動軸と前記動力チャンバの下端壁とが回転できるように連結され、前記連動軸の上端には前記下モーター歯車と噛合できる連動歯車が設置され、前記切換スライド溝の中には切換ブロックがスライドできるように連結され、前記切換ブロックの左端には前記Ｔ型環状溝とスライドできるように連結される移動ロッドが設置され、前記切換ブロックの中にはＬ板が貫通し設置され、前記Ｌ板が前記切換溝と前記ロングスライド溝とスライドできるように連結され、前記Ｌ板の左端には連結ブロックが設置され、前記連結ブロックの左端には噴水器が設置され、前記噴水器と前記噴水溝との間には戻しばねが連結され、前記噴水器の右端面には噴水抜き穴が設置され、前記連動歯車と前記連動軸とが回転し、それにより前記水ポンプを開け、前記水ポンプにより水をくみ上げ、その作用は、人々の口腔のデッドスペースを噴水により磨き、また口腔内にある練り歯磨きを除去することであることを特徴とする請求項１に記載の噴水機能を持つ歯ブラシ。
【請求項４】
前記歯磨き装置は貫通軸を含み、前記貫通軸が前記動力チャンバの上端壁と前記傘歯車溝の下端壁と回転できるように連結され、前記貫通軸の下端には前記モーター上歯車と噛合できる貫通歯車が設置され、前記貫通軸の上端には貫通傘歯車が設置され、前記傘歯車溝の中には回転器が回転できるように連結され、前記回転器の右端面には回転軸が設置され、前記回転軸の右端には前記貫通傘歯車と噛合する回転傘歯車が設置され、前記回転器の中には台形ブロック引掛り溝が設置され、前記台形ブロック引掛り溝の中には磨きヘッドブロックが設置され、前記磨きヘッドブロックの左端面と前記磨きヘッドとが固定的に連結され、前記磨きヘッドと前記刷毛とが固定的に連結され、前記磨きヘッドブロックの上下端にはショートロッドスライド溝が対称的に設置され、前記ショートロッドスライド溝の左右両端にはそれぞれ引掛り溝と台形ブロックスライド溝とが設置され、前記台形ブロックスライド溝と前記引掛り溝とがそれぞれ外部と連通しており、前記引掛り溝の中には引掛りブロックがスライドできるように連結され、前記引掛りブロックと前記引掛り溝との間には引掛りブロックばねが連結され、台形ブロックと前記台形ブロックスライド溝との間には台形ブロックばねが連結され、前記台形ブロックと前記引掛りブロックとの間にはショートロッドが連結され、前記台形ブロックが前記台形ブロック引掛り溝とスライドできるように連結されることができ、前記貫通歯車の回転により前記貫通軸と、前記貫通傘歯車と、前記回転傘歯車と、前記回転軸と、前記回転器と、前記磨きヘッドブロックと、前記磨きヘッド及び前記刷毛を回転連動させ、その作用は、前記磨きヘッドと前記刷毛とにより歯をきれいにすることであることを特徴とする請求項１に記載の噴水機能を持つ歯ブラシ。
【発明の詳細な説明】
【技術分野】
【０００１】
本発明は日常用品分野を取り上げて、具体的には噴水機能を持つ歯ブラシである。
【背景技術】
【０００２】
現在、社会の発展と人間の進歩に伴い、人々は個人衛生と口腔安全とを重視していき、人々は日常的に歯を磨く過程では、デッドスペースが常にあり、これらのデッドスペースが歯ブラシの刷毛の届けないところであり、うがいにより簡単な清潔を行うしかできなく、そのようなやり方は人々の口腔健康問題を保証できなく、また歯を磨いた後にコップを持ちうがいする必要があり、こういう操作は非常に不便である。
【先行技術文献】
【特許文献】
【０００３】
【特許文献１】中国特許出願公開第１０８６６９７７８号明細書
【発明の概要】
【発明が解決しようとする課題】
【０００４】
本発明の目的は噴水機能を持つ歯ブラシを提供し、それは上記の現在の技術中の問題を解決できる。
【課題を解決するための手段】
【０００５】
上記の課題を解決するため、本発明は以下の技術プランを採用する：ハンドルを含み、前記ハンドルの上端には歯ブラシロッドが設置され、前記歯ブラシロッドの上端にはヘッドが設置され、前記ハンドルの中には水箱が設置され、前記水箱の中には噴水装置が設置され、前記噴水装置は水ポンプと噴水器とを含み、前記噴水装置は人々の口腔のデッドスペースを噴水により磨き、また口腔内にある練り歯磨きを除去でき、前記水箱の左端壁には入水口が設置され、前記入水口と外部とが連通しており、前記水箱の上端壁には出水パイプが設置され、前記ハンドルの中にはロング水パイプも設置され、前記ロング水パイプと前記出水パイプとが連通しており、前記ロング水パイプの上端壁には噴水溝が設置され、前記噴水溝の右端壁には噴水口が設置され、前記水箱の上端には動力チャンバが設置され、前記動力チャンバの中には動力装置が設置され、前記動力装置はモーターを含み、前記動力装置が装置全体に動力を提供でき、前記動力チャンバの右端壁には連通溝が設置され、前記連通溝の右端壁には切換スライド溝が設置され、前記切換スライド溝の上端壁には切換溝が設置され、前記切換溝の上端壁にはロングスライド溝が設置され、前記ロングスライド溝の左端壁には前記噴水溝と連通している駆動チャンバが設置され、前記噴水溝の左端壁には傘歯車溝が設置され、前記傘歯車溝の中には歯磨き装置が設置され、前記歯磨き装置は磨きヘッドと刷毛とを含み、前記歯磨き装置が前記磨きヘッドと前記刷毛により歯をきれいにすることができる。
【０００６】
優選的には、前記動力装置はモーター軸を含み、前記モーター軸と前記動力チャンバの上下端壁とが回転できるように連結され、前記モーターが前記動力チャンバの下端壁に固定的に取り付けられ、前記モーターと前記モーター軸とが動力が伝達できるように連結され、前記モーター軸の左端面にはフェザーキーが設置され、前記フェザーキーと前記モーター軸とがモーター上歯車と下モーター歯車とスライドできるように連結され、前記モーター上歯車の下端面と前記下モーター歯車の上端面にそれぞれＴ型環状溝が対称的に設置され、前記モーターを始動し、それにより前記モーター軸、前記下モーター歯車、前記モーター上歯車を回転連動させ、その作用は、装置全体に動力を提供することである。
【０００７】
優選的には、前記噴水装置は水くみ上げ管を含み、前記水くみ上げ管と前記水ポンプの下端面とが固定的に連結され、前記水ポンプが前記水箱の上端壁に固定的に取り付けられ、前記水ポンプの左端面と前記出水パイプとが連通しており、前記水ポンプの上端には連動軸が設置され、前記連動軸が前記水ポンプの動力軸であり、前記連動軸と前記動力チャンバの下端壁とが回転できるように連結され、前記連動軸の上端には前記下モーター歯車と噛合できる連動歯車が設置され、前記切換スライド溝の中には切換ブロックがスライドできるように連結され、前記切換ブロックの左端には前記Ｔ型環状溝とスライドできるように連結される移動ロッドが設置され、前記切換ブロックの中にはＬ板が貫通し設置され、前記Ｌ板が前記切換溝と前記ロングスライド溝とスライドできるように連結され、前記Ｌ板の左端には連結ブロックが設置され、前記連結ブロックの左端には噴水器が設置され、前記噴水器と前記噴水溝との間には戻しばねが連結され、前記噴水器の右端面には噴水抜き穴が設置され、前記連動歯車と前記連動軸とが回転し、それにより前記水ポンプを開け、前記水ポンプにより水をくみ上げ、その作用は、人々の口腔のデッドスペースを噴水により磨き、また口腔内にある練り歯磨きを除去することである。
【０００８】
優選的には、前記歯磨き装置は貫通軸を含み、前記貫通軸が前記動力チャンバの上端壁と前記傘歯車溝の下端壁と回転できるように連結され、前記貫通軸の下端には前記モーター上歯車と噛合できる貫通歯車が設置され、前記貫通軸の上端には貫通傘歯車が設置され、前記傘歯車溝の中には回転器が回転できるように連結され、前記回転器の右端面には回転軸が設置され、前記回転軸の右端には前記貫通傘歯車と噛合する回転傘歯車が設置され、前記回転器の中には台形ブロック引掛り溝が設置され、前記台形ブロック引掛り溝の中には磨きヘッドブロックが設置され、前記磨きヘッドブロックの左端面と前記磨きヘッドとが固定的に連結され、前記磨きヘッドと前記刷毛とが固定的に連結され、前記磨きヘッドブロックの上下端にはショートロッドスライド溝が対称的に設置され、前記ショートロッドスライド溝の左右両端にはそれぞれ引掛り溝と台形ブロックスライド溝とが設置され、前記台形ブロックスライド溝と前記引掛り溝とがそれぞれ外部と連通しており、前記引掛り溝の中には引掛りブロックがスライドできるように連結され、前記引掛りブロックと前記引掛り溝との間には引掛りブロックばねが連結され、台形ブロックと前記台形ブロックスライド溝との間には台形ブロックばねが連結され、前記台形ブロックと前記引掛りブロックとの間にはショートロッドが連結され、前記台形ブロックが前記台形ブロック引掛り溝とスライドできるように連結されることができ、前記貫通歯車の回転により前記貫通軸と、前記貫通傘歯車と、前記回転傘歯車と、前記回転軸と、前記回転器と、前記磨きヘッドブロックと、前記磨きヘッド及び前記刷毛を回転連動させ、その作用は、前記磨きヘッドと前記刷毛とにより歯をきれいにすることである。
【発明の効果】
【０００９】
以上により、本発明の有益的な効果は：本装置は人の口腔に対し歯磨き、噴射と洗い流しなどを行え、伝統的な歯ブラシがデッドスペースを磨けない問題を克服し、同時に本装置は歯ブラシ自身が持つ水保存機能を通じて、コップを持ちうがいする操作をしないで済み、交換可能な磨きヘッドは更に人々の口腔健康を保護でき、本装置は機械の伝動係合を通じて、ミスが出る可能性を下げ、同時に一つのモーターで多機能を実現し装置のコストを下げ、エネルギーを節約する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の噴水機能を持つ歯ブラシの全体全断面の正面構造概略図
【図２】図２は本発明の図１のＡの局部拡大図
【図３】図３は本発明の図２のＢの局部拡大図
【図４】図４は本発明の図１のＣ―Ｃ方向の断面図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１〜４を参考し、本発明の噴水機能を持つ歯ブラシは、ハンドル１００を含み、前記ハンドル１００の上端には歯ブラシロッド４３が設置され、前記歯ブラシロッド４３の上端にはヘッド６８が設置され、前記ハンドル１００の中には水箱３３が設置され、前記水箱３３の中には噴水装置１０１が設置され、前記噴水装置１０１は水ポンプ３０と噴水器５５とを含み、前記噴水装置１０１は人々の口腔のデッドスペースを噴水により磨き、また口腔内にある練り歯磨きを除去でき、前記水箱３３の左端壁には入水口３４が設置され、前記入水口３４と外部とが連通しており、前記水箱３３の上端壁には出水パイプ３２が設置され、前記ハンドル１００の中にはロング水パイプ４２も設置され、前記ロング水パイプ４２と前記出水パイプ３２とが連通しており、前記ロング水パイプ４２の上端壁には噴水溝５４が設置され、前記噴水溝５４の右端壁には噴水口５７が設置され、前記水箱３３の上端には動力チャンバ６９が設置され、前記動力チャンバ６９の中には動力装置１０２が設置され、前記動力装置１０２はモーター３６を含み、前記動力装置１０２が装置全体に動力を提供でき、前記動力チャンバ６９の右端壁には連通溝２６が設置され、前記連通溝２６の右端壁には切換スライド溝２７が設置され、前記切換スライド溝２７の上端壁には切換溝２３が設置され、前記切換溝２３の上端壁にはロングスライド溝２１が設置され、前記ロングスライド溝２１の左端壁には前記噴水溝５４と連通している駆動チャンバ５９が設置され、前記噴水溝５４の左端壁には傘歯車溝６０が設置され、前記傘歯車溝６０の中には歯磨き装置１０３が設置され、前記歯磨き装置１０３は磨きヘッド４５と刷毛４４とを含み、前記歯磨き装置１０３が前記磨きヘッド４５と前記刷毛４４により歯をきれいにすることができる。
【００１５】
有益的には、前記動力装置１０２はモーター軸７１を含み、前記モーター軸７１と前記動力チャンバ６９の上下端壁とが回転できるように連結され、前記モーター３６が前記動力チャンバ６９の下端壁に固定的に取り付けられ、前記モーター３６と前記モーター軸７１とが動力が伝達できるように連結され、前記モーター軸７１の左端面にはフェザーキー７０が設置され、前記フェザーキー７０と前記モーター軸７１とがモーター上歯車２４と下モーター歯車３８とスライドできるように連結され、前記モーター上歯車２４の下端面と前記下モーター歯車３８の上端面にそれぞれＴ型環状溝３９が対称的に設置され、前記モーター３６を始動し、それにより前記モーター軸７１、前記下モーター歯車３８、前記モーター上歯車２４を回転連動させ、その作用は、装置全体に動力を提供することである。
【００１６】
有益的には、前記噴水装置１０１は水くみ上げ管３１を含み、前記水くみ上げ管３１と前記水ポンプ３０の下端面とが固定的に連結され、前記水ポンプ３０が前記水箱３３の上端壁に固定的に取り付けられ、前記水ポンプ３０の左端面と前記出水パイプ３２とが連通しており、前記水ポンプ３０の上端には連動軸２９が設置され、前記連動軸２９が前記水ポンプ３０の動力軸であり、前記連動軸２９と前記動力チャンバ６９の下端壁とが回転できるように連結され、前記連動軸２９の上端には前記下モーター歯車３８と噛合できる連動歯車３７が設置され、前記切換スライド溝２７の中には切換ブロック２５がスライドできるように連結され、前記切換ブロック２５の左端には前記Ｔ型環状溝３９とスライドできるように連結される移動ロッド２８が設置され、前記切換ブロック２５の中にはＬ板２２が貫通し設置され、前記Ｌ板２２が前記切換溝２３と前記ロングスライド溝２１とスライドできるように連結され、前記Ｌ板２２の左端には連結ブロック５８が設置され、前記連結ブロック５８の左端には噴水器５５が設置され、前記噴水器５５と前記噴水溝５４との間には戻しばね５３が連結され、前記噴水器５５の右端面には噴水抜き穴５６が設置され、前記連動歯車３７と前記連動軸２９とが回転し、それにより前記水ポンプ３０を開け、前記水ポンプ３０により水をくみ上げ、その作用は、人々の口腔のデッドスペースを噴水により磨き、また口腔内にある練り歯磨きを除去することである。
【００１７】
有益的には、前記歯磨き装置１０３は貫通軸４１を含み、前記貫通軸４１が前記動力チャンバ６９の上端壁と前記傘歯車溝６０の下端壁と回転できるように連結され、前記貫通軸４１の下端には前記モーター上歯車２４と噛合できる貫通歯車４０が設置され、前記貫通軸４１の上端には貫通傘歯車６１が設置され、前記傘歯車溝６０の中には回転器６３が回転できるように連結され、前記回転器６３の右端面には回転軸６４が設置され、前記回転軸６４の右端には前記貫通傘歯車６１と噛合する回転傘歯車６２が設置され、前記回転器６３の中には台形ブロック引掛り溝５０が設置され、前記台形ブロック引掛り溝５０の中には磨きヘッドブロック６５が設置され、前記磨きヘッドブロック６５の左端面と前記磨きヘッド４５とが固定的に連結され、前記磨きヘッド４５と前記刷毛４４とが固定的に連結され、前記磨きヘッドブロック６５の上下端にはショートロッドスライド溝４７が対称的に設置され、前記ショートロッドスライド溝４７の左右両端にはそれぞれ引掛り溝６７と台形ブロックスライド溝５１とが設置され、前記台形ブロックスライド溝５１と前記引掛り溝６７とがそれぞれ外部と連通しており、前記引掛り溝６７の中には引掛りブロック４６がスライドできるように連結され、前記引掛りブロック４６と前記引掛り溝６７との間には引掛りブロックばね６６が連結され、台形ブロック４９と前記台形ブロックスライド溝５１との間には台形ブロックばね５２が連結され、前記台形ブロック４９と前記引掛りブロック４６との間にはショートロッド４８が連結され、前記台形ブロック４９が前記台形ブロック引掛り溝５０とスライドできるように連結されることができ、前記貫通歯車４０の回転により前記貫通軸４１と、前記貫通傘歯車６１と、前記回転傘歯車６２と、前記回転軸６４と、前記回転器６３と、前記磨きヘッドブロック６５と、前記磨きヘッド４５及び前記刷毛４４を回転連動させ、その作用は、前記磨きヘッド４５と前記刷毛４４とにより歯をきれいにすることである。
【００１８】
下記に、図１〜４と上記記述した本出願の噴水機能を持つ歯ブラシの具体的な構成を参考し、本出願の噴水機能を持つ歯ブラシの使用方法を詳しく紹介する：まず、初期状態では、栓３５を開け、水箱３３に水を入れ、貫通歯車４０とモーター上歯車２４とが噛合し、下モーター歯車３８と連動歯車３７とが噛合状態から離脱する。
【００１９】
使用するとき、モーター３６が始動し、それによりモーター軸７１と、下モーター歯車３８と、モーター上歯車２４とを回転連動させ、それにより貫通歯車４０と、貫通軸４１と、貫通傘歯車６１と、回転傘歯車６２と、回転軸６４と、回転器６３と、磨きヘッドブロック６５と、磨きヘッド４５及び刷毛４４を回転連動させ、そして歯を磨き、磨き終わったら、Ｌ板２２を下に引き、切換ブロック２５と移動ロッド２８とを下に移動連動させ、下モーター歯車３８と連動歯車３７とが噛合し、連動歯車３７が連動軸２９を回転連動させ、水ポンプ３０が始動し、水箱３３の中にある水を水くみ上げ管３１から出水パイプ３２とロング水パイプ４２との中までくみ上げ、Ｌ板２２が下に移動し連結ブロック５８と噴水器５５とを下に移動連動させ、噴水抜き穴５６と噴水口５７が連通し、水が噴水抜き穴５６と噴水口５７から噴出し、噴射磨きと洗い流しを行い、磨きヘッドを交換するとき、引掛りブロック４６を下に押し、それによりショートロッド４８と台形ブロック４９を連動させ下に押させ、そして磨きヘッドブロック６５を抜き出し、新しい磨きヘッドを台形ブロック引掛り溝５０の中に押し込む。
【００２０】
本発明の有益的な効果は：本装置は人の口腔に対し歯磨き、噴射と洗い流しなどを行え、伝統的な歯ブラシがデッドスペースを磨けない問題を克服し、同時に本装置は歯ブラシ自身が持つ水保存機能を通じて、コップを持ちうがいする操作をしないで済み、交換可能な磨きヘッドは更に人々の口腔健康を保護でき、本装置は機械の伝動係合を通じて、ミスが出る可能性を下げ、同時に一つのモーターで多機能を実現し装置のコストを下げ、エネルギーを節約する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179110.tif 000003
【図２】
2020179110.tif 000004
【図３】
2020179110.tif 000005
【図４】
2020179110.tif 000006
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
正面視で、ハンドルと噴水装置とを含み、前記ハンドルの上端には歯ブラシロッドが設置され、前記歯ブラシロッドの上端にはヘッドが設置され、前記ハンドルの内部には水箱が設置され、前記噴水装置は水ポンプと噴水器とを含み、前記噴水装置は人々の口腔のデッドスペースを噴水により磨き、また口腔内にある練り歯磨きを除去でき、前記水箱の左壁には入水口が設置され、前記入水口と外部とが連通しており、前記水箱の上壁には出水パイプが設置され、前記ハンドルの内部にはロング水パイプも設置され、前記ロング水パイプと前記出水パイプとが連通しており、前記ヘッドには前記ロング水パイプの上側に位置する噴水溝が設置され、前記噴水溝の右壁には噴水口が設置され、前記水箱の上端には動力チャンバが設置され、前記動力チャンバの内部には動力装置が設置され、前記動力装置はモーターを含み、前記動力チャンバの右壁には連通溝が設置され、前記連通溝の右側には切換スライド溝が前記連通溝と連通するように設置され、前記切換スライド溝の上側には切換溝が前記切換スライド溝と連通するように設置され、前記切換溝の上壁にはロングスライド溝が設置され、前記ロングスライド溝の左壁には前記噴水溝と連通している駆動チャンバが設置され、前記噴水溝の左壁には傘歯車溝が設置され、前記傘歯車溝の内部と左側には歯磨き装置が設置され、前記歯磨き装置は磨きヘッドと刷毛とを含み、前記歯磨き装置が前記磨きヘッドと前記刷毛により歯をきれいにすることができ、
前記動力装置はモーター軸を含み、前記モーター軸と前記動力チャンバの上下壁とが回転できるように連結され、前記モーターが前記動力チャンバの下壁に固定的に取り付けられ、前記モーターと前記モーター軸とが動力が伝達できるように連結され、前記モーター軸の左端面にはフェザーキーが設置され、前記フェザーキーと前記モーター軸とがモーター上歯車と下モーター歯車とスライドできるように連結され、前記モーター上歯車の下端面と前記下モーター歯車の上端面にそれぞれＴ型環状溝が対称的に設置され、前記モーターを始動し、それにより前記モーター軸、前記下モーター歯車、前記モーター上歯車を回転連動させ、その作用は、装置全体に動力を提供し、
前記噴水装置は水くみ上げ管を含み、前記水くみ上げ管と前記水ポンプの下端面とが固定的に連結され、前記水ポンプが前記水箱の上壁に固定的に取り付けられ、前記水ポンプの左端面と前記出水パイプとが連通しており、前記水ポンプの上端には連動軸が設置され、前記連動軸が前記水ポンプの動力軸であり、前記連動軸と前記動力チャンバの下壁とが回転できるように連結され、前記連動軸の上端には前記下モーター歯車と噛合できる連動歯車が設置され、前記切換スライド溝の内部には切換ブロックがスライドできるように連結され、前記切換ブロックの左端には前記Ｔ型環状溝とスライドできるように連結される移動ロッドが設置され、前記切換ブロックの内部にはＬ板が貫通し設置され、前記Ｌ板が前記切換溝と前記ロングスライド溝とスライドできるように連結され、前記Ｌ板の左端には連結ブロックが設置され、前記連結ブロックの左端には噴水器が設置され、前記噴水器と前記噴水溝との間には戻しばねが連結され、前記噴水器の右端面には噴水抜き穴が設置され、前記連動歯車と前記連動軸とが回転し、それにより前記水ポンプを開け、前記水ポンプにより水をくみ上げ、その作用は、人々の口腔のデッドスペースを噴水により磨き、また口腔内にある練り歯磨きを除去し、
前記歯磨き装置は貫通軸を含み、前記貫通軸が前記動力チャンバの上壁と前記傘歯車溝の下壁と回転できるように連結され、前記貫通軸の下端には前記モーター上歯車と噛合できる貫通歯車が設置され、前記貫通軸の上端には貫通傘歯車が設置され、前記傘歯車溝の内部には回転器が回転できるように連結され、前記回転器の右端面には回転軸が設置され、前記回転軸の右端には前記貫通傘歯車と噛合する回転傘歯車が設置され、前記回転器の内部には台形ブロック引掛り溝が設置され、前記台形ブロック引掛り溝の内部には磨きヘッドブロックが設置され、前記磨きヘッドブロックの左端面と前記磨きヘッドとが固定的に連結され、前記磨きヘッドと前記刷毛とが固定的に連結され、前記磨きヘッドブロックの上下端にはショートロッドスライド溝が対称的に設置され、前記ショートロッドスライド溝の左右両端にはそれぞれ引掛り溝と台形ブロックスライド溝とが設置され、前記台形ブロックスライド溝と前記引掛り溝とがそれぞれ外部と連通しており、前記引掛り溝の内部には引掛りブロックがスライドできるように連結され、前記引掛りブロックと前記引掛り溝との間には引掛りブロックばねが連結され、台形ブロックと前記台形ブロックスライド溝との間には台形ブロックばねが連結され、前記台形ブロックと前記引掛りブロックとの間にはショートロッドが連結され、前記台形ブロックが前記台形ブロック引掛り溝とスライドできるように連結されることができ、前記貫通歯車の回転により前記貫通軸と、前記貫通傘歯車と、前記回転傘歯車と、前記回転軸と、前記回転器と、前記磨きヘッドブロックと、前記磨きヘッド及び前記刷毛を回転連動させ、その作用は、前記磨きヘッドと前記刷毛とにより歯をきれいにし、
使用するとき、前記モーターが始動し、それにより前記モーター軸と、前記下モーター歯車と、前記モーター上歯車とを回転連動させ、それにより前記貫通歯車と、前記貫通軸と、前記貫通傘歯車と、前記回転傘歯車と、前記回転軸と、前記回転器と、前記磨きヘッドブロックと、前記磨きヘッド及び前記刷毛を回転連動させ、そして歯を磨き、磨き終わったら、前記Ｌ板を下に引き、前記切換ブロックと前記移動ロッドとを下に移動連動させ、前記下モーター歯車と前記連動歯車とが噛合し、前記連動歯車が前記連動軸を回転連動させ、前記水ポンプが始動し、前記水箱の内部にある水を前記水くみ上げ管から前記出水パイプと前記ロング水パイプとの内部までくみ上げ、前記Ｌ板が下に移動し前記連結ブロックと前記噴水器とを下に移動連動させ、前記噴水抜き穴と前記噴水口が連通し、水が前記噴水抜き穴と前記噴水口から噴出し、噴射磨きと洗い流しを行い、磨きヘッドを交換するとき、前記引掛りブロックを下に押し、それにより前記ショートロッドと前記台形ブロックを連動させ下に押させ、そして前記磨きヘッドブロックを抜き出し、新しい磨きヘッドを前記台形ブロック引掛り溝の内部に押し込むことを特徴とする噴水機能を持つ歯ブラシ。
【手続補正２】
【補正対象書類名】明細書
【補正対象項目名】全文
【補正方法】変更
【補正の内容】
【発明の詳細な説明】
【技術分野】
【０００１】
本発明は日常用品分野を取り上げて、具体的には噴水機能を持つ歯ブラシである。
【背景技術】
【０００２】
現在、社会の発展と人間の進歩に伴い、人々は個人衛生と口腔安全とを重視していき、人々は日常的に歯を磨く過程では、デッドスペースが常にあり、これらのデッドスペースが歯ブラシの刷毛の届けないところであり、うがいにより簡単な清潔を行うしかできなく、そのようなやり方は人々の口腔健康問題を保証できなく、また歯を磨いた後にコップを持ちうがいする必要があり、こういう操作は非常に不便である。
【先行技術文献】
【特許文献】
【０００３】
【特許文献１】中国特許出願公開第１０８６６９７７８号明細書
【発明の概要】
【発明が解決しようとする課題】
【０００４】
本発明の目的は噴水機能を持つ歯ブラシを提供し、それは上記の現在の技術中の問題を解決できる。
【課題を解決するための手段】
【０００５】
上記の課題を解決するため、本発明は以下の技術プランを採用する：ハンドルと噴水装置とを含み、前記ハンドルの上端には歯ブラシロッドが設置され、前記歯ブラシロッドの上端にはヘッドが設置され、前記ハンドルの内部には水箱が設置され、前記噴水装置は水ポンプと噴水器とを含み、前記噴水装置は人々の口腔のデッドスペースを噴水により磨き、また口腔内にある練り歯磨きを除去でき、前記水箱の左壁には入水口が設置され、前記入水口と外部とが連通しており、前記水箱の上壁には出水パイプが設置され、前記ハンドルの内部にはロング水パイプも設置され、前記ロング水パイプと前記出水パイプとが連通しており、前記ヘッドには前記ロング水パイプの上側に位置する噴水溝が設置され、前記噴水溝の右壁には噴水口が設置され、前記水箱の上端には動力チャンバが設置され、前記動力チャンバの内部には動力装置が設置され、前記動力装置はモーターを含み、前記動力チャンバの右壁には連通溝が設置され、前記連通溝の右側には切換スライド溝が前記連通溝と連通するように設置され、前記切換スライド溝の上側には切換溝が前記切換スライド溝と連通するように設置され、前記切換溝の上壁にはロングスライド溝が設置され、前記ロングスライド溝の左壁には前記噴水溝と連通している駆動チャンバが設置され、前記噴水溝の左壁には傘歯車溝が設置され、前記傘歯車溝の内部と左側には歯磨き装置が設置され、前記歯磨き装置は磨きヘッドと刷毛とを含み、前記歯磨き装置が前記磨きヘッドと前記刷毛により歯をきれいにすることができる。
【０００６】
優選的には、前記動力装置はモーター軸を含み、前記モーター軸と前記動力チャンバの上下壁とが回転できるように連結され、前記モーターが前記動力チャンバの下壁に固定的に取り付けられ、前記モーターと前記モーター軸とが動力が伝達できるように連結され、前記モーター軸の左端面にはフェザーキーが設置され、前記フェザーキーと前記モーター軸とがモーター上歯車と下モーター歯車とスライドできるように連結され、前記モーター上歯車の下端面と前記下モーター歯車の上端面にそれぞれＴ型環状溝が対称的に設置され、前記モーターを始動し、それにより前記モーター軸、前記下モーター歯車、前記モーター上歯車を回転連動させ、その作用は、装置全体に動力を提供することである。
【０００７】
優選的には、前記噴水装置は水くみ上げ管を含み、前記水くみ上げ管と前記水ポンプの下端面とが固定的に連結され、前記水ポンプが前記水箱の上壁に固定的に取り付けられ、前記水ポンプの左端面と前記出水パイプとが連通しており、前記水ポンプの上端には連動軸が設置され、前記連動軸が前記水ポンプの動力軸であり、前記連動軸と前記動力チャンバの下壁とが回転できるように連結され、前記連動軸の上端には前記下モーター歯車と噛合できる連動歯車が設置され、前記切換スライド溝の内部には切換ブロックがスライドできるように連結され、前記切換ブロックの左端には前記Ｔ型環状溝とスライドできるように連結される移動ロッドが設置され、前記切換ブロックの内部にはＬ板が貫通し設置され、前記Ｌ板が前記切換溝と前記ロングスライド溝とスライドできるように連結され、前記Ｌ板の左端には連結ブロックが設置され、前記連結ブロックの左端には噴水器が設置され、前記噴水器と前記噴水溝との間には戻しばねが連結され、前記噴水器の右端面には噴水抜き穴が設置され、前記連動歯車と前記連動軸とが回転し、それにより前記水ポンプを開け、前記水ポンプにより水をくみ上げ、その作用は、人々の口腔のデッドスペースを噴水により磨き、また口腔内にある練り歯磨きを除去することである。
【０００８】
優選的には、前記歯磨き装置は貫通軸を含み、前記貫通軸が前記動力チャンバの上壁と前記傘歯車溝の下壁と回転できるように連結され、前記貫通軸の下端には前記モーター上歯車と噛合できる貫通歯車が設置され、前記貫通軸の上端には貫通傘歯車が設置され、前記傘歯車溝の内部には回転器が回転できるように連結され、前記回転器の右端面には回転軸が設置され、前記回転軸の右端には前記貫通傘歯車と噛合する回転傘歯車が設置され、前記回転器の内部には台形ブロック引掛り溝が設置され、前記台形ブロック引掛り溝の内部には磨きヘッドブロックが設置され、前記磨きヘッドブロックの左端面と前記磨きヘッドとが固定的に連結され、前記磨きヘッドと前記刷毛とが固定的に連結され、前記磨きヘッドブロックの上下端にはショートロッドスライド溝が対称的に設置され、前記ショートロッドスライド溝の左右両端にはそれぞれ引掛り溝と台形ブロックスライド溝とが設置され、前記台形ブロックスライド溝と前記引掛り溝とがそれぞれ外部と連通しており、前記引掛り溝の内部には引掛りブロックがスライドできるように連結され、前記引掛りブロックと前記引掛り溝との間には引掛りブロックばねが連結され、台形ブロックと前記台形ブロックスライド溝との間には台形ブロックばねが連結され、前記台形ブロックと前記引掛りブロックとの間にはショートロッドが連結され、前記台形ブロックが前記台形ブロック引掛り溝とスライドできるように連結されることができ、前記貫通歯車の回転により前記貫通軸と、前記貫通傘歯車と、前記回転傘歯車と、前記回転軸と、前記回転器と、前記磨きヘッドブロックと、前記磨きヘッド及び前記刷毛を回転連動させ、その作用は、前記磨きヘッドと前記刷毛とにより歯をきれいにすることである。
【発明の効果】
【０００９】
以上により、本発明の有益的な効果は：本装置は人の口腔に対し歯磨き、噴射と洗い流しなどを行え、伝統的な歯ブラシがデッドスペースを磨けない問題を克服し、同時に本装置は歯ブラシ自身が持つ水保存機能を通じて、コップを持ちうがいする操作をしないで済み、交換可能な磨きヘッドは更に人々の口腔健康を保護でき、本装置は機械の伝動係合を通じて、ミスが出る可能性を下げ、同時に一つのモーターで多機能を実現し装置のコストを下げ、エネルギーを節約する。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の噴水機能を持つ歯ブラシの全体全断面の正面構造概略図
【図２】図２は本発明の図１のＡの局部拡大図
【図３】図３は本発明の図２のＢの局部拡大図
【図４】図４は本発明の図１のＣ―Ｃ方向の断面図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の内部の一つの例だけである。
【００１４】
図１〜４を参考し、本発明の噴水機能を持つ歯ブラシは、ハンドル１００と噴水装置１０１とを含み、前記ハンドル１００の上端には歯ブラシロッド４３が設置され、前記歯ブラシロッド４３の上端にはヘッド６８が設置され、前記ハンドル１００の内部には水箱３３が設置され、前記噴水装置１０１は水ポンプ３０と噴水器５５とを含み、前記噴水装置１０１は人々の口腔のデッドスペースを噴水により磨き、また口腔内にある練り歯磨きを除去でき、前記水箱３３の左壁には入水口３４が設置され、前記入水口３４と外部とが連通しており、前記水箱３３の上壁には出水パイプ３２が設置され、前記ハンドル１００の内部にはロング水パイプ４２も設置され、前記ロング水パイプ４２と前記出水パイプ３２とが連通しており、前記ヘッド６８には前記ロング水パイプ４２の上側に位置する噴水溝５４が設置され、前記噴水溝５４の右壁には噴水口５７が設置され、前記水箱３３の上端には動力チャンバ６９が設置され、前記動力チャンバ６９の内部には動力装置１０２が設置され、前記動力装置１０２はモーター３６を含み、前記動力チャンバ６９の右壁には連通溝２６が設置され、前記連通溝２６の右側には切換スライド溝２７が前記連通溝２６と連通するように設置され、前記切換スライド溝２７の上側には切換溝２３が前記切換スライド溝２７と連通するように設置され、前記切換溝２３の上壁にはロングスライド溝２１が設置され、前記ロングスライド溝２１の左壁には前記噴水溝５４と連通している駆動チャンバ５９が設置され、前記噴水溝５４の左壁には傘歯車溝６０が設置され、前記傘歯車溝６０の内部と左側には歯磨き装置１０３が設置され、前記歯磨き装置１０３は磨きヘッド４５と刷毛４４とを含み、前記歯磨き装置１０３が前記磨きヘッド４５と前記刷毛４４により歯をきれいにすることができる。
【００１５】
有益的には、前記動力装置１０２はモーター軸７１を含み、前記モーター軸７１と前記動力チャンバ６９の上下壁とが回転できるように連結され、前記モーター３６が前記動力チャンバ６９の下壁に固定的に取り付けられ、前記モーター３６と前記モーター軸７１とが動力が伝達できるように連結され、前記モーター軸７１の左端面にはフェザーキー７０が設置され、前記フェザーキー７０と前記モーター軸７１とがモーター上歯車２４と下モーター歯車３８とスライドできるように連結され、前記モーター上歯車２４の下端面と前記下モーター歯車３８の上端面にそれぞれＴ型環状溝３９が対称的に設置され、前記モーター３６を始動し、それにより前記モーター軸７１、前記下モーター歯車３８、前記モーター上歯車２４を回転連動させ、その作用は、装置全体に動力を提供することである。
【００１６】
有益的には、前記噴水装置１０１は水くみ上げ管３１を含み、前記水くみ上げ管３１と前記水ポンプ３０の下端面とが固定的に連結され、前記水ポンプ３０が前記水箱３３の上壁に固定的に取り付けられ、前記水ポンプ３０の左端面と前記出水パイプ３２とが連通しており、前記水ポンプ３０の上端には連動軸２９が設置され、前記連動軸２９が前記水ポンプ３０の動力軸であり、前記連動軸２９と前記動力チャンバ６９の下壁とが回転できるように連結され、前記連動軸２９の上端には前記下モーター歯車３８と噛合できる連動歯車３７が設置され、前記切換スライド溝２７の内部には切換ブロック２５がスライドできるように連結され、前記切換ブロック２５の左端には前記Ｔ型環状溝３９とスライドできるように連結される移動ロッド２８が設置され、前記切換ブロック２５の内部にはＬ板２２が貫通し設置され、前記Ｌ板２２が前記切換溝２３と前記ロングスライド溝２１とスライドできるように連結され、前記Ｌ板２２の左端には連結ブロック５８が設置され、前記連結ブロック５８の左端には噴水器５５が設置され、前記噴水器５５と前記噴水溝５４との間には戻しばね５３が連結され、前記噴水器５５の右端面には噴水抜き穴５６が設置され、前記連動歯車３７と前記連動軸２９とが回転し、それにより前記水ポンプ３０を開け、前記水ポンプ３０により水をくみ上げ、その作用は、人々の口腔のデッドスペースを噴水により磨き、また口腔内にある練り歯磨きを除去することである。
【００１７】
有益的には、前記歯磨き装置１０３は貫通軸４１を含み、前記貫通軸４１が前記動力チャンバ６９の上壁と前記傘歯車溝６０の下壁と回転できるように連結され、前記貫通軸４１の下端には前記モーター上歯車２４と噛合できる貫通歯車４０が設置され、前記貫通軸４１の上端には貫通傘歯車６１が設置され、前記傘歯車溝６０の内部には回転器６３が回転できるように連結され、前記回転器６３の右端面には回転軸６４が設置され、前記回転軸６４の右端には前記貫通傘歯車６１と噛合する回転傘歯車６２が設置され、前記回転器６３の内部には台形ブロック引掛り溝５０が設置され、前記台形ブロック引掛り溝５０の内部には磨きヘッドブロック６５が設置され、前記磨きヘッドブロック６５の左端面と前記磨きヘッド４５とが固定的に連結され、前記磨きヘッド４５と前記刷毛４４とが固定的に連結され、前記磨きヘッドブロック６５の上下端にはショートロッドスライド溝４７が対称的に設置され、前記ショートロッドスライド溝４７の左右両端にはそれぞれ引掛り溝６７と台形ブロックスライド溝５１とが設置され、前記台形ブロックスライド溝５１と前記引掛り溝６７とがそれぞれ外部と連通しており、前記引掛り溝６７の内部には引掛りブロック４６がスライドできるように連結され、前記引掛りブロック４６と前記引掛り溝６７との間には引掛りブロックばね６６が連結され、台形ブロック４９と前記台形ブロックスライド溝５１との間には台形ブロックばね５２が連結され、前記台形ブロック４９と前記引掛りブロック４６との間にはショートロッド４８が連結され、前記台形ブロック４９が前記台形ブロック引掛り溝５０とスライドできるように連結されることができ、前記貫通歯車４０の回転により前記貫通軸４１と、前記貫通傘歯車６１と、前記回転傘歯車６２と、前記回転軸６４と、前記回転器６３と、前記磨きヘッドブロック６５と、前記磨きヘッド４５及び前記刷毛４４を回転連動させ、その作用は、前記磨きヘッド４５と前記刷毛４４とにより歯をきれいにすることである。
【００１８】
下記に、図１〜４と上記記述した本出願の噴水機能を持つ歯ブラシの具体的な構成を参考し、本出願の噴水機能を持つ歯ブラシの使用方法を詳しく紹介する：まず、初期状態では、栓３５を開け、水箱３３に水を入れ、貫通歯車４０とモーター上歯車２４とが噛合し、下モーター歯車３８と連動歯車３７とが噛合状態から離脱する。
【００１９】
使用するとき、モーター３６が始動し、それによりモーター軸７１と、下モーター歯車３８と、モーター上歯車２４とを回転連動させ、それにより貫通歯車４０と、貫通軸４１と、貫通傘歯車６１と、回転傘歯車６２と、回転軸６４と、回転器６３と、磨きヘッドブロック６５と、磨きヘッド４５及び刷毛４４を回転連動させ、そして歯を磨き、磨き終わったら、Ｌ板２２を下に引き、切換ブロック２５と移動ロッド２８とを下に移動連動させ、下モーター歯車３８と連動歯車３７とが噛合し、連動歯車３７が連動軸２９を回転連動させ、水ポンプ３０が始動し、水箱３３の内部にある水を水くみ上げ管３１から出水パイプ３２とロング水パイプ４２との内部までくみ上げ、Ｌ板２２が下に移動し連結ブロック５８と噴水器５５とを下に移動連動させ、噴水抜き穴５６と噴水口５７が連通し、水が噴水抜き穴５６と噴水口５７から噴出し、噴射磨きと洗い流しを行い、磨きヘッドを交換するとき、引掛りブロック４６を下に押し、それによりショートロッド４８と台形ブロック４９を連動させ下に押させ、そして磨きヘッドブロック６５を抜き出し、新しい磨きヘッドを台形ブロック引掛り溝５０の内部に押し込む。
【００２０】
本発明の有益的な効果は：本装置は人の口腔に対し歯磨き、噴射と洗い流しなどを行え、伝統的な歯ブラシがデッドスペースを磨けない問題を克服し、同時に本装置は歯ブラシ自身が持つ水保存機能を通じて、コップを持ちうがいする操作をしないで済み、交換可能な磨きヘッドは更に人々の口腔健康を保護でき、本装置は機械の伝動係合を通じて、ミスが出る可能性を下げ、同時に一つのモーターで多機能を実現し装置のコストを下げ、エネルギーを節約する。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。